(57)【要約】【課題】無線通信端末テスタを２台用意し、移動機端末から発呼して他の端末を着呼する処理を呼制御と同期回路を用いて制御し試験を行う場合、アナログ回路やデジタル回路が別々となっている為、測定精度の誤差を補正できず測定精度が悪くなるという課題があり、２つの呼制御部が同期を取りながら測定することが難しいという課題があった。【解決手段】性能試験を行う端末テスタにおいて、分配器を介してＲＦ信号を送受信するＲＦ回路と、受信したＲＦ信号を逆拡散符号により逆拡散を行い、復号化により共通チャネル信号と個別チャネル信号を出力する逆拡散復号化部と、これらの信号を符号化および拡散符号により拡散する拡散符号化部と、これらを制御する呼制御部と、拡散符号化部に試験信号を与え、逆拡散復号化部から出力された出力信号を試験信号と比較判定する判定器と、を備える。【選択図】図２
2005079707.tif 000002
【特許請求の範囲】
【請求項１】
無線通信端末の性能試験を行う端末テスタにおいて、
少なくとも一つの無線通信端末が接続される分配器と、
分配器を介して前記端末からＲＦ信号を送受信するＲＦ回路と、
ＲＦ回路から受信したＲＦ信号を逆拡散符号により逆拡散を行い、これを復号化により共通チャネル信号と個別チャネル信号を出力する逆拡散復号化部と、
共通チャネル信号と個別チャネル信号を符号化および拡散符号により拡散する拡散符号化部と、
少なくとも拡散符号化部と逆拡散復号化部を制御する呼制御部と、
拡散符号化部に試験信号を与え、少なくとも逆拡散復号化部から出力された出力信号を試験信号と比較判定する判定器と、
を備え、
拡散符号化部は、それぞれの個別チャネル信号を拡散符号化する複数の拡散符号化回路を有し、
逆拡散復号化部は、それぞれの個別チャネル信号を逆拡散符号化する複数の逆拡散復号化回路を有することを特徴とする端末テスタ。
【請求項２】
請求項１に記載の端末テスタにおいて、
前記分配器に少なくとも２つの無線通信端末を接続し、前記端末の相互接続を制御し相互接続試験が行える呼制御部と、
前記端末の個別チャンネル信号を比較判定する判定器と、
を有することを特徴とする端末テスタ。
【請求項３】
無線通信端末の試験を行う端末テスタにおいて、
２つ以上の無線通信端末が接続される分配器と、
分配器を介して前記端末からＲＦ信号を送受信するＲＦ回路と、
ＲＦ回路から受信したＲＦ信号を逆拡散符号により逆拡散を行い、これを復号化により共通チャネル信号と個別チャネル信号を出力する逆拡散復号化部と、
共通チャネル信号と個別チャネル信号を符号化および拡散符号により拡散する拡散符号化部と、
少なくとも拡散符号化部と逆拡散復号化部を制御する呼制御部と、
拡散符号化部に試験信号を与え、少なくとも逆拡散復号化部から出力された出力信号を試験信号と比較判定する判定器と、
を備え、
性能試験における１つの無線通信端末の出力信号と、その他の無線通信端末の出力信号との比較が行える判定器を有することを特徴とする端末テスタ。
【請求項４】
請求項１から３のいずれかに記載の端末テスタにおいて、
ｎ台（ｎは自然数）の無線通信端末を同時に接続可能な分配器と、
ｎ台の信号処理が可能な拡散符号化回路ならびに逆拡散復号化回路と、
を有し、
ｎ台同時に試験可能な呼制御器と判定器とを備えることを特徴とする端末テスタ。
【請求項５】
請求項１から３のいずれかに記載の端末テスタにおいて、
分配器を端末テスタの外部に備えることを特徴とする端末テスタ。
【請求項６】
請求項１から３のいずれかに記載の端末テスタにおいて、
前記逆拡散復号化部と前記拡散符号化部を切り替えて接続する切替え器を備えることを特徴とする端末テスタ。
【請求項７】
請求項１から３のいずれかに記載の端末テスタにおいて、
無線通信端末の音声試験の他にパケット通信試験とテレビ電話試験も行える呼制御器と判定器を備えることを特徴とする端末テスタ。
【請求項８】
無線通信端末の性能試験を行う端末テスタの試験方法において、
無線通信端末の信号が分配される分配工程と、
分配器を介して前記端末からＲＦ信号を送受信するためのＲＦ送受信工程と、
受信したＲＦ信号を逆拡散符号により逆拡散を行い、これを復号化により共通チャネル信号と個別チャネル信号を出力する逆拡散復号化工程と、
共通チャネル信号と個別チャネル信号を符号化および拡散符号により拡散する拡散符号化工程と、
予め設定された処理手順に従い前記拡散符号化工程および逆拡散符号化工程を制御する呼制御工程と、
拡散符号化工程に試験信号を与え、少なくとも逆拡散復号化工程から出力された信号を試験信号と比較判定する判定工程と、
を備え、
拡散符号化工程は、それぞれの個別チャネル信号を拡散符号化する複数の拡散符号化サブステップを有し、
逆拡散復号化工程は、それぞれの個別チャネル信号を逆拡散符号化する複数の逆拡散復号化サブステップを有することを特徴とする端末テスタの試験方法。
【請求項９】
無線通信端末の性能試験を行う端末テスタの試験方法において、
無線通信端末の信号が分配される分配工程と、
分配器を介して前記端末からＲＦ信号を送受信するためのＲＦ送受信工程と、
受信したＲＦ信号を逆拡散符号により逆拡散を行い、これを復号化により共通チャネル信号と個別チャネル信号を出力する逆拡散復号化工程と、
共通チャネル信号と個別チャネル信号を符号化および拡散符号により拡散する拡散符号化工程と、
予め設定された処理手順に従い前記拡散符号化工程および逆拡散符号化工程を制御する呼制御工程と、
拡散符号化工程に試験信号を与え、基準となる無線通信端末の信号と比較試験用の無線通信端末の信号を取得し、逆拡散復号化工程から出力された信号と試験信号との比較ならびに、基準となる無線通信端末との比較判定を行う判定工程と、
を備えたことを特徴とする端末テスタの試験方法。
【発明の詳細な説明】
【技術分野】
【０００１】
本発明は、通信方式にＣＤＭＡ方式を採用した携帯電話等を試験する移動機端末試験装置に係わり、特に、移動機端末の機能及び性能試験を効率的に行えるようにした端末テスタに関する。
【背景技術】
【０００２】
ＩＴに代表される移動機端末やインターネット等の情報通信技術の目覚しい進展に伴い、情報通信分野における通信速度の高速化、帯域のブロードバンド化、通信コストの低廉化が一層加速し、通信はビジネスだけでなく個人生活の隅々まで浸透し、音声通話だけでなくインターネットを利用できる移動機端末が急速に普及をはじめた。
【０００３】
移動機端末の通信方式は、数ｋｍから十数ｋｍの各セル毎に１つの無線基地を設け、無線周波数はゾーン内の各セル毎に割当て、通信を行うセルラ方式が用いられている。この方式を使用して自動車電話や携帯電話は爆発的な増加を続け、有限の周波数帯域を有効に活用する為にアナログ方式の第１世代からデジタル方式の第２世代ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＤＣ（Ｐｅｒｓｏｎａｌ  Ｄｉｇｉｔａｌ  Ｃｅｌｌｕｌａｒ  Ｔｅｌｅｃｏｍｍｕｎｉｃａｔｉｏｎ  Ｓｙｓｔｅｍ）に続き、世界標準方式および高速・高品質のマルチメディアサービスの提供を目指して音声だけでなく動画も伝送する第３世代の携帯電話Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）を中心としたＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎｓ−２０００）およびｃｄｍａＯｎｅ２０００（登録商標）（米国のＣＤＭＡ  Ｄｅｖｅｌｏｐｍｅｎｔ  Ｇｒｏｕｐ（ＣＤＧ（登録商標）））が開発され、基地局および移動機端末が開発・製造されるようになった。
【０００４】
さらに、２００１年１０月にはドコモがＷ−ＣＤＭＡによる商用サービスＦＯＭＡ（登録商標）を開始し、ＫＤＤＩが２００２年４月にｃｄｍａ２０００  １ｘ（登録商標）サービスを開始した。チャンネル数の確保の為にＣＤＭＡ通信方式を用いた移動機端末が普及するにあたり、移動体通信に用いられる移動機端末の開発・製造において、移動機端末が正確に作動するかを調べる試験を正確かつ迅速に実施する必要がある。
【０００５】
移動機端末の試験に関して、特開２０００−１６５３１７号公報に示されるような移動体試験装置に組み込まれ、試験対象の移動機端末から出力されたＣＤＭＡ信号の位相ずれを測定する測定装置に関する技術が公開されている。
【０００６】
図５は、１台の移動機端末による折り返し試験を示した端末テスタのブロック図である。この１台の移動機端末における端末テスタ１０は、疑似的な基地局として動作し、判定器からの試験データを拡散符号によりスペクトラム拡散をしたＣＤＭＡ信号を携帯電話端末等の被試験端末ＵＥ（Ｕｓｅｒ  Ｅｑｕｉｐｍｅｎｔ）１に対してＲＦ回路３を介して出力し、さらにこのＵＥ１から出力されたＣＤＭＡ信号をＲＦ回路３で受信し逆拡散と復号化１２Ａにより、このＣＤＭＡ信号と前記ＣＤＭＡ試験信号との間の拡散符号位相の通信規格で規定された位相からのずれを測定し判定器により判定する。これらの測定により移動機端末の性能が測定される。
【０００７】
移動機端末は、基地局や交換局を経由して無線で通信データを送受信することで通信を行う。このため、移動機端末には通信品質を確認するための発呼および着呼についての発着呼試験を実行している。移動機端末の負荷試験や一斉発着呼試験を実施するには、それぞれの移動機端末を操作する必要があり、従来からこの為に多数の作業員が必要とされていた。また、作業員同士で熟練度のばらつきによる一部の作業員に操作ミスが発生し信頼性の良い試験結果を得るのが大変であるという問題もあった。
【０００８】
そこで、特開昭５７−１４２０６５号公報に示されるように疑似試験装置を電子交換機に接続する構成として発呼または着呼動作を擬似的に行い移動機端末と交換機の間の機能試験を行う技術が公開されている。しかし、この方法では電子交換機と電話機を有線で接続しているため無線による実際の環境下で移動機端末の試験ができないという問題があり、特開平１１−１２７１０２号公報で示されているような実際に使用される環境下で移動機端末の試験を行うことができる移動機制御装置が開示されている。
【０００９】
【特許文献１】特開２０００−１６５３１７号公報
【特許文献２】特開昭５７−１４２０６５号公報
【特許文献３】特開平１１−１２７１０２号公報
【発明の開示】
【発明が解決しようとする課題】
【００１０】
携帯電話機等の移動機端末において、基地局から受信した下り信号であるＣＤＭＡの拡散のタイミングに同期した拡散符号（ＰＮパターン）を用いて上り信号であるＣＤＭＡ信号を生成する。この移動機端末から出力されるＣＤＭＡ信号拡散タイミングと、この移動機端末に入力されるＣＤＭＡ信号の拡散タイミングとの間のタイミングのずれは３ＧＰＰ（３ｒｄ  Ｇｅｎｅｒａｔｉｏｎ  Ｐａｒｔｎｅｒｓｈｉｐ  Ｐｒｏｊｅｃｔ）規格により規定されている。
【００１１】
特に、開発中の移動機端末において、タイミング調整が不十分な場合、下り信号と上り信号との間の拡散のタイミングが規格からずれている場合がある。その結果、基地局において、移動機端末から受信したＣＤＭＡ信号と逆拡散符号（ＰＮパターン）発生部から出力される逆拡散符号データとの間で位相ずれが発生して、正しくスペクトラム逆拡散できなくなる。
【００１２】
したがって、移動機端末において、出力されるＣＤＭＡ信号と入力されるＣＤＭＡ信号に対する位相ずれを定量的に測定してその位相ずれを評価することは、新規に移動機端末を開発・試験する上で重要な事項である。
【００１３】
近年、移動機端末の新製品開発競争が激しさを増し、単に良い音でつながるだけでなく、他社の移動機端末との相互通話における音声品質、発着呼音、映像及び移動機端末の各種表示等の様々な項目の試験が要求されるようになった。しかし、これらの試験を行う為にはいくつかの問題がある。
【００１４】
図６は、１台の移動機端末による折り返し試験を示した端末テスタの状態遷移図である。従来の端末テスタでは、１台の移動機端末による折り返し試験のため、図６の待ち受け（ステップＳ１１）の次の状態遷移は音声発信（ステップＳ１３）又は音声着信（ステップＳ１４）の為２台の移動機端末による相互接続を同時に行うことができない。そこで、図５に示す１台の移動機端末の試験装置を２台組み合わせた試験装置が用いられ、それぞれに音声発信（ステップＳ１３）と音声着信（ステップＳ１４）を設定して試験を行う。
【００１５】
図７は、２台の移動機端末による相互接続試験を示した端末テスタのブロック図である。図７に示すように１台の折り返し試験の端末テスタを２台用意し、例えばＵＥ１（１Ａ）から発呼してＵＥ２（１Ｂ）が着呼する処理を呼制御部（１０９，２０９）と同期回路１５を用いて制御し試験を行っている。
【００１６】
しかし、この装置では、アナログ回路で構成されるＲＦ回路やデジタル回路で構成される拡散符号化部（１１１，２１１）、逆拡散復号化部（１１２，２１２）、呼制御部（１０９，２０９）、判定器（１０８，２０８）が別々となっている為、測定精度の誤差を補正できず結果として測定精度が悪くなるという第１の課題があった。
【００１７】
さらに、ＵＥ１（１Ａ）とＵＥ２（１Ｂ）に対して疑似的な基地局として振る舞う為に２つの呼制御部（１０９、２０９）が同期を取りながらＲＦ回路（１０３、２０３）、拡散符号化部（１１１、２１１）、逆拡散復号化部（１１２、２１２）、判定器（１０９、２０９）に連続指令を送ることは従来の試験手順記述式の制御シーケンスでは実現することが難しいという第２の課題があった。
【００１８】
さらに、複数台の移動機端末を接続する為には、個別のＲＦ回路およびその他の回路を有する試験機と各試験機からの信号を切替える切替え器が必要となり試験を行うためのコストが高くなるという第３の課題があった。
【課題を解決するための手段】
【００１９】
本発明の無線通信端末の性能試験を行う端末テスタにおいて、少なくとも一つの無線通信端末が接続される分配器と、分配器を介して前記端末からＲＦ信号を送受信するＲＦ回路と、ＲＦ回路から受信したＲＦ信号を逆拡散符号により逆拡散を行い、これを復号化により共通チャネル信号と個別チャネル信号を出力する逆拡散復号化部と、共通チャネル信号と個別チャネル信号を符号化および拡散符号により拡散する拡散符号化部と、少なくとも拡散符号化部と逆拡散復号化部を制御する呼制御部と、拡散符号化部に試験信号を与え、少なくとも逆拡散復号化部から出力された出力信号を試験信号と比較判定する判定器と、を備え、拡散符号化部は、それぞれの個別チャネル信号を拡散符号化する複数の拡散符号化回路を有し、逆拡散復号化部は、それぞれの個別チャネル信号を逆拡散符号化する複数の逆拡散復号化回路を有している。
【００２０】
本発明の無線通信端末の性能試験を行う端末テスタにおいて、前記分配器に少なくとも２つの無線通信端末を接続し、前記端末の相互接続を制御し相互接続試験が行える呼制御部と、前記端末の個別チャンネル信号を比較判定する判定器と、を有している。
【００２１】
本発明の無線通信端末の試験を行う端末テスタにおいて、２つ以上の無線通信端末が接続される分配器と、分配器を介して前記端末からＲＦ信号を送受信するＲＦ回路と、ＲＦ回路から受信したＲＦ信号を逆拡散符号により逆拡散を行い、これを復号化により共通チャネル信号と個別チャネル信号を出力する逆拡散復号化部と、共通チャネル信号と個別チャネル信号を符号化および拡散符号により拡散する拡散符号化部と、少なくとも拡散符号化部と逆拡散復号化部を制御する呼制御部と、拡散符号化部に試験信号を与え、少なくとも逆拡散復号化部から出力された出力信号を試験信号と比較判定する判定器と、を備え、性能試験における１つの無線通信端末の出力信号と、その他の無線通信端末の出力信号との比較が行える判定器を有している。
【００２２】
本発明の無線通信端末の試験を行う端末テスタにおいて、ｎ台（ｎは自然数）の無線通信端末を同時に接続可能な分配器と、ｎ台の信号処理が可能な拡散符号化回路ならびに逆拡散復号化回路と、を有し、ｎ台同時に試験可能な呼制御器と判定器とを備えている。
【００２３】
本発明の無線通信端末の試験を行う端末テスタにおいて、分配器を端末テスタの外部に備えている。
【００２４】
本発明の無線通信端末の試験を行う端末テスタにおいて、前記逆拡散復号化部と前記拡散符号化部を切替えて接続する切替え器を備えている。
【００２５】
本発明の無線通信端末の試験を行う端末テスタにおいて、無線通信端末の音声試験の他にパケット通信試験とテレビ電話試験も行える呼制御器と判定器を備えている。
【００２６】
無線通信端末の性能試験を行う端末テスタの試験方法において、無線通信端末の信号が分配される分配工程と、分配器を介して前記端末からＲＦ信号を送受信するためのＲＦ送受信工程と、受信したＲＦ信号を逆拡散符号により逆拡散を行い、これを復号化により共通チャネル信号と個別チャネル信号を出力する逆拡散復号化工程と、共通チャネル信号と個別チャネル信号を符号化および拡散符号により拡散する拡散符号化工程と、予め設定された処理手順に従い前記拡散符号化工程および逆拡散符号化工程を制御する呼制御工程と、拡散符号化工程に試験信号を与え、少なくとも逆拡散復号化工程から出力された信号を試験信号と比較判定する判定工程と、を備え、拡散符号化工程は、それぞれの個別チャネル信号を拡散符号化する複数の拡散符号化サブステップを有し、逆拡散復号化工程は、それぞれの個別チャネル信号を逆拡散符号化する複数の逆拡散復号化サブステップを有している。
【００２７】
無線通信端末の性能試験を行う端末テスタの試験方法において、無線通信端末の信号が分配される分配工程と、分配器を介して前記端末からＲＦ信号を送受信するためのＲＦ送受信工程と、受信したＲＦ信号を逆拡散符号により逆拡散を行い、これを復号化により共通チャネル信号と個別チャネル信号を出力する逆拡散復号化工程と、共通チャネル信号と個別チャネル信号を符号化および拡散符号により拡散する拡散符号化工程と、予め設定された処理手順に従い前記拡散符号化工程および逆拡散符号化工程を制御する呼制御工程と、拡散符号化工程に試験信号を与え、基準となる無線通信端末の信号と比較試験用の無線通信端末の信号を取得し、逆拡散復号化工程から出力された信号と試験信号との比較ならびに、基準となる無線通信端末との比較判定を行う判定工程とを備えている。
【発明の効果】
【００２８】
本発明によれば、第１の効果として、同一装置のＲＦ回路、拡散符号化部、逆拡散復号化部、呼制御部および判定器を使用して精度誤差を補正可能な装置構成としたことにより測定精度を悪化させること無く相互接続試験が行える。
【００２９】
さらに、本発明によれば、第２の効果として、同一装置のＲＦ回路と、複数の拡散符号化回路と逆拡散復号化回路を有する拡散符号化部と逆拡散符号化部と、少なくとも３ＧＰＰ規格のプロトコル処理機能を備える呼制御部で疑似的な基地局として作動し判定器により入出力結果を判定できる。
【００３０】
さらに、本発明によれば、第３の効果として、呼制御部と判定器が、移動機端末の性能試験、プロトコル試験、通話試験を制御することにより相互通話試験を行うことができ、基準とする移動機端末に対してその他の移動機端末の性能差分評価を同時に行うことが可能となり、移動機端末の開発・製造での試験を短縮することが出来る。さらに、相互通話に限らず、評価の為の試験を長時間繰り返して行うことが可能であり、人手を要する従来の試験と比べて、定められた手順の試験作業をより正確に行うことができ、結果に対する信頼性を高めることが出来る。
【発明を実施するための最良の形態】
【００３１】
以下、本発明の実施の形態（以下実施形態という）を、図面に従って説明する。
【実施例１】
【００３２】
図１は、本発明の一実施形態における２台の移動機端末を接続した小型の端末テスタとＬＡＮを介してモニタ用ＰＣを接続した端末テスト装置の概要を表した模式図である。本発明の一実施形態では、小型の端末テスタとする為に２入力の分配器２は、試験機４の筐体の外部に設置した。分配器２はそれぞれ移動機端末１Ａと移動機端末１Ｂのアンテナ端子に移動機接続ケーブルで接続されている。試験機４にはＬＡＮのインターフェース端子を備え、ＨＵＢ５を介してモニタ用ＰＣ（出力／表示・プリント）６と図示していないインターネット網に接続されている。
【００３３】
図２は、本発明の一実施形態における２台の移動機端末を接続した相互接続試験用および比較試験用の端末テスタの概要を表すブロック図であり、図３は、一実施形態における２台の移動機端末を接続した相互接続試験用および比較試験用の端末テスタの状態遷移図である。以下、図２と図３用いて第１の実施形態について説明する。
【００３４】
図３の起動処理（ステップＳ１）は、予め設定されている動作モードをテストモード設定器１４から読み出し、呼制御部９が報知情報送信と呼ばれる擬似的な基地局の情報を移動機端末に送信する処理である。呼制御部９は、共通チャンネル信号でシステム情報、各移動機端末ＵＥ１とＵＥ２（１Ａ，１Ｂ）への個別チャンネル割り当て、拡散符号と逆拡散符号（Ａ，Ｂ，Ｃの符号）の通知を移動機端末ＵＥ１とＵＥ２（１Ａ，１Ｂ）に行う。図２において、これらの処理は呼制御部９が擬似的な基地局として振る舞い、共通チャンネル信号にて拡散符号化部１１の拡散符号化回路１１Ｃから、加算器１３を通りＲＦ回路３で２ＧＨｚの周波数信号に変換され、分配器２を介して移動機端末ＵＥ１とＵＥ２（１Ａ，１Ｂ）に送信され、これ以後は、Ａ、ＢおよびＣの符号により使用する共通チャンネル、ＵＥ１用の個別チャンネル（Ａ符号）とＵＥ２用の個別チャンネル（Ｂ符号）を使用してチャンネルの逆拡散復号化・拡散符号化を行う。これらの逆拡散復号化・拡散符号化回路は、共通チャンネルの個数と個別チャンネルの個数分だけ備えている。個別チャンネルは、音声信号又はパケット信号を含むユーザデータと個別チャンネルの制御の為の個別制御データを有している。
【００３５】
次に、図３の待ち受け（ステップＳ２）に移り、位置登録（ステップＳ３）を処理する。疑似的な基地局（呼制御部９）は常に自分の位置情報を移動機端末に向けて電波で知らせている。これらは共通チャンネルで送られ、移動機端末側ＵＥ１とＵＥ２（１Ａ，１Ｂ）ではこの位置情報を受けると自分のＩＤ番号とエリア番号を基地局に送り返す。同様に図２において、移動機端末ＵＥ１（１Ａ）とＵＥ２（１Ｂ）はそれぞれ自分のＩＤ番号とエリア番号を拡散符号化しＲＦ信号に変換して分配器２を介してＲＦ回路３へ送信する。送信された信号は逆拡散復号化部１２の逆拡散復号化回路１２Ａと１２Ｂで別々に処理され個別制御データとして呼制御部９へ送られる。
【００３６】
移動機端末のＵＥ１（１Ａ）がＵＥ２（１Ｂ）へ発信し、ＵＥ２（１Ｂ）が着信をする場合について説明する。
【００３７】
操作者が移動機端末ＵＥ１（１Ａ）を使ってＵＥ２（１Ｂ）へ発信するために電話番号を入力すると、図３のＵＥ１発信・ＵＥ２着信（ステップＳ４）となる。前述の手順にて図２の移動機端末ＵＥ１（１Ａ）から分配器２，ＲＦ回路３，逆拡散復号化回路１２Ａを経由して呼制御部９に伝わる。入力した電話番号に相当するＵＥ２を呼び出す為に呼制御部９は、個別制御データを拡散符号化回路１１Ｂ、加算器１３、ＲＦ回路３、分配器２を通じて移動機端末ＵＥ２（１Ｂ）を着呼し、操作者が応答する。これにより図３の通信中（音声／パケット）（ステップＳ５）に移り音声情報は前述の逆拡散復号化部１２と拡散符号化部１１のユーザデータが切替スイッチ７を通じて音声情報が移動機端末のＵＥ１（１Ａ）とＵＥ２（１Ｂ）で通話が成立する。その後、各種試験を実行し、得られた結果は出力／表示・プリント部で表示される。
【００３８】
音声通話を終了する場合は、次に示すように２通りの処理があり得る。例えば、発呼側である移動機端末ＵＥ１（１Ａ）側から切断すると図３の発側切断（ステップＳ６）に移動し、同様に着呼側である移動機端末ＵＥ２（１Ｂ）側から切断すると図３の着側切断（ステップＳ７）に移動する。しかし、これらの信号はすべて呼制御部９が処理し音声通話を終了する。
【００３９】
次に、第１の実施形態による性能試験について説明する。第１の実施形態において、図４のテストモード設定器に記録されているプログラムを読み出し、テストモードを移動機端末１台による折り返し試験モードを選択すると、以下のような試験が可能となる。
【００４０】
性能測定として次の９項目が測定可能である。（１）最大送信電力、（２）周波数誤差試験、（３）開ループ電力制御試験、（４）インナーループ電力制御試験、（５）最小送信電力試験、（６）送信オフ時出力電力試験、（７）変調精度試験、（８）最小受信感度試験、（９）消費電流測定。
【００４１】
ＩＭＴ−２０００においてＡＭＲ（Ａｄａｐｔｉｖｅ  Ｍｕｌｔｉ  Ｒａｔｅ）が必須音声符号化方式として採用されており、プロトコル試験として次の４項目が測定可能である。（１）位置登録、（２）発呼（ＡＭＲ）、（３）着呼（ＡＭＲ）、（４）固定終話、移動終話。さらに、通話試験として次の１項目が測定可能である。（１）テスタ折り返し（ＡＭＲ）による通話試験。
【００４２】
第１の実施形態において、図４のテストモード設定器に記録されているプログラムを読み出し、テストモードを移動機端末２台による相互通話試験モードを選択すると、以下のような試験が可能となる。
【００４３】
性能測定として（１）最小受信感度試験、プロトコル試験として（１）位置登録、（２）発呼（ＡＭＲ）、（３）着呼（ＡＭＲ）、（４）固定終話、移動終話。
【００４４】
さらに、通話試験として次の１項目が測定可能である。（１）移動機端末２台による相互通話（ＡＭＲ）による通話試験。
【００４５】
さらに、切替スイッチ７により外部端子に個別チャンネルのユーザデータを出力することが可能なので、外部にＣＯＲＥＣ端末を接続することにより音声信号としてモニタすることができ、音声通話またはパケット通信のデータを外部機器で記録できる。
【実施例２】
【００４６】
以下、第２の実施形態を図面に従って説明する。図４は、第２の実施形態における３台の移動機端末を接続した相互接続試験用および比較試験用の端末テスタの概要を表すブロック図である。
【００４７】
移動機端末の新規開発や製造において、基準となる性能を備えた移動機端末とその他２台の移動機端末との比較を同時に行うことは、移動機端末の不具合発見の有効な手段となる。図４では、分配器２を端末テスタ１０の外部に配置し、１台から３台まで自由に移動機端末をすることが可能な３台の移動機端末試験機を示している。
【００４８】
移動機端末であるＵＥ１（１Ａ）とＵＥ２（１Ｂ）は分配器２Ａに接続され、ＵＥ３（１Ｃ）と５０Ωの終端抵抗が分配器２Ｂに接続されている。端末テスタ１０には、逆拡散複合化回路と拡散符号化回路が共通チャンネルと個別チャンネルの合計４個ずつで構成されている。
【００４９】
第２の実施形態において、テストモード設定器１４により３台の移動機端末を全て着信通話とし、例えば移動機端末ＵＥ１（１Ａ）を基準器として、他の移動機端末ＵＥ２〜ＵＥ３の性能を測定するモードを選択することで、基準器となるＵＥ１（１Ａ）のアンテナの感度表示が３本なのに、他の移動機端末ＵＥ２（１Ｂ）〜ＵＥ３（１Ｃ）はアンテナ感度が安定しない等の直感的な比較試験が実行でき、開発工程での不具合解析に有効であることは言うまでもない。
【００５０】
第２の実施形態では３台の移動機端末を接続する為分配器２Ｂの一端を終端抵抗に接続したが、４台分の逆拡散復号化回路と拡散符号化回路を備えた構成では図４に示したＵＥ４（１Ｄ）を接続することが可能である。
【図面の簡単な説明】
【００５１】
【図１】本発明の一実施形態における２台の移動機端末を接続した小型の端末テスタとＬＡＮを介したモニタ用ＰＣの概要を表した模式図である。
【図２】本発明の一実施形態における２台の移動機端末を接続した相互接続試験用および比較試験用の端末テスタの概要を表すブロック図である。
【図３】一実施形態における２台の移動機端末を接続した相互接続試験用および比較試験用の端末テスタの状態遷移図である。
【図４】第２の実施形態における３台の移動機端末を接続した相互接続試験用および比較試験用の端末テスタの概要を表すブロック図である。
【図５】１台の移動機端末による折り返し試験を示した端末テスタのブロック図である。
【図６】１台の移動機端末による折り返し試験を示した端末テスタの状態遷移図である。
【図７】２台の移動機端末による相互接続試験を示した端末テスタのブロック図である。
【符号の説明】
【００５２】
１  ＵＥ、２  分配器、３  ＲＦ回路、４  試験機、５  ＨＵＢ、６  モニタ用ＰＣ（出力／表示・プリント）、７  切替スイッチ、８  判定器、９  呼制御部、１０  端末テスタ、１１  拡散符号化部、１２  逆拡散復号化部、１３  加算器、１４  テストモード設定器。
【図１】
2005079707.tif 000003
【図２】
2005079707.tif 000004
【図３】
2005079707.tif 000005
【図４】
2005079707.tif 000006
【図５】
2005079707.tif 000007
【図６】
2005079707.tif 000008
【図７】
2005079707.tif 000009